【事件の表示】
　特許第２９４００２６号「印画装置及び印画方法」の請求項１、５に係る特許に対する特許異議の申立てについて、次のとおり決定する。
【結　論】
　訂正を認める。
　特許第２９４００２６号の請求項１、５に係る特許を取り消す。
【理　由】
１．手続の経緯
　本件特許第２９４００２６号の請求項１乃至請求項５に係る発明は、平成１年１１月２５日に特許出願され、平成１１年６月１８日にその特許の設定登録がなされ、その後、請求項１及び請求項５に係る発明の特許について戸叶孝一より特許異議の申立てがなされ、取消理由通知がなされ、その指定期間内である平成１２年１１月２１日に訂正請求がなされたものである。
　
２．訂正の適否についての判断
　ア．特許権者が求めている訂正の内容は、次のとおりである。
　訂正事項ａ：特許請求の範囲の請求項１を、
　「異なるサイズの入力画像を印画する印画装置であって、
　上記入力画像を形成する水平方向の成分に関する情報を検出する第１の検出手段と、
　上記入力画像を形成する垂直方向の成分に関する情報を検出する第２の検出手段と、
　上記第１の検出手段及び上記第２の検出手段の検出結果に基づいて、上記水平方向の成分及び上記垂直方向の成分を所定の印画領域を形成する水平サイズ及び垂直サイズに変換する演算手段とを有し、
　
上記演算手段の変換結果に基づいて、
領域
　訂正事項ｂ：特許請求の範囲の請求項５を、
　「異なるサイズの入力画像を印画する印画方法であって、
　ａ）　上記入力画像を形成する水平方向の成分に関する情報を検出するステップと、
　ｂ）　上記入力画像を形成する垂直方向の成分に関する情報を検出するステップと、
　ｃ）　上記ステップａ）の検出結果及び上記ステップｂ）の検出結果に基づいて、上記水平方向の成分及び上記垂直方向の成分をほぼ一定の印画
領域
　ｄ）　上記入力画像を上記ステップｃ）で変換された印画
領域
　訂正事項ｃ：明細書の〔発明の概要〕欄及び〔課題を解決するための手段〕欄（特許公報第２頁３欄第２２〜２３行目，第２頁４欄第４８行目，第３頁５欄第６行目及び第３頁５欄第８行目）の「印画サイズ」を「印画領域」と訂正する。
　
　イ．訂正の目的の適否、新規事項の有無及び拡張・変更の存否
　訂正事項ａは、本件特許の願書に添付した明細書のうち、特許公報第４頁８欄１６行〜第６頁１２欄１行の部分に記載された、図６の水平サイズ２８と垂直サイズ２９とで決定されるほぼ一定の印画領域（図６の印画領域２７）で入力画像を印画することに基づいて、特許請求の範囲の請求項１に記載された「印画サイズ」を、「印画領域」と技術的に限定するとともに、同じく特許公報第４頁８欄１６行〜第６頁１２欄１行に記載された、ＣＰＵ２（２４）が入力画像の水平走査周波数，走査線数をそれぞれこの水平サイズ２８，垂直サイズ２９に変換し、このＣＰＵ２（２４）の変換結果に基づいて入力画像を印画領域２７で印画することに基づいて、「上記異なるサイズの入力画像をほぼ一定の印画領域で印画する」処理を「演算手段の変換結果に基づいて」行うように限定しようとするものである。
　したがって、この訂正は、特許請求の範囲の減縮に相当するものである。
　また、訂正事項ｂは、上記訂正事項ａについて説明したと同様の根拠により、特許請求の範囲の請求項５に記載された「印画サイズ」を、「印画領域」と技術的に限定するものである。
　したがって、この訂正は、特許請求の範囲の滅縮に相当するものである。
　さらに、訂正事項ｃは、訂正事項ａ及び訂正事項ｂに伴い、発明の詳細な説明の記載を、請求項１、請求項５の記載との整合を図るべく訂正するものであり、明瞭でない記載の釈明に相当する。
　そして、上記訂正は、いずれも新規事項の追加に該当せず、実質的に特許請求の範囲を拡張又は変更するものではない。
　
　ウ．むすび
　以上のとおりであるから、上記訂正は、特許法等の一部を改正する法律（平成６年法律第１１６号）附則第６条第１項の規定によりなお従前の例によるとされる、平成６年改正前特許法第１２６条第１項乃至第３項の規定に適合するので、当該訂正を認める。
　
３．特許異議の申立てについての判断
　ア．申立ての理由の概要
　特許異議申立人、戸叶孝一は、甲第１号証（特開昭６３−１１４４５７号公報）、甲第２号証（特開昭６３−１７４４７１号公報）を提示し、訂正前の請求項１及び請求項５に係る発明は、甲第１号証及び甲第２号証に記載された発明から当業者が容易に発明をすることができたものであり、特許法第２９条第２項の規定により、特許を受けることができないものであるから、特許を取り消すべきと主張している。
　
　イ．本件の請求項１及び請求項５に係る発明
　上記２．で示したように上記訂正が認められるから、本件の請求項１及び請求項５に係る発明（以下、それぞれ「本件発明１」、「本件発明５」という。）は、上記訂正請求に係る訂正明細書の特許請求の範囲の請求項１及び請求項５に記載された次のとおりのものである。
　「【請求項１】異なるサイズの入力画像を印画する印画装置であって、
　上記入力画像を形成する水平方向の成分に関する情報を検出する第１の検出手段と、
　上記入力画像を形成する垂直方向の成分に関する情報を検出する第２の検出手段と、
　上記第１の検出手段及び上記第２の検出手段の検出結果に基づいて、上記水平方向の成分及び上記垂直方向の成分を所定の印画領域を形成する水平サイズ及び垂直サイズに変換する演算手段とを有し、
　上記演算手段の変換結果に基づいて、上記異なるサイズの入力画像をほぼ一定の印画領域で印画することを特徴とする印画装置。」、
　「【請求項５】異なるサイズの入力画像を印画する印画方法であって、
　ａ）　上記入力画像を形成する水平方向の成分に関する情報を検出するステップと、
　ｂ）　上記入力画像を形成する垂直方向の成分に関する情報を検出するステップと、
　ｃ）　上記ステップａ）の検出結果及び上記ステップｂ）の検出結果に基づいて、上記水平方向の成分及び上記垂直方向の成分をほぼ一定の印画領域を形成する水平サイズ及び垂直サイズに変換するステップと、
　ｄ）　上記入力画像を上記ステップｃ）で変換された印画領域で印画するステップと、を含むことを特徴とする印画方法。」。
　
　ウ．刊行物等
　当審が取消理由として通知した刊行物である、刊行物１：特開昭６３−１１４４５７号公報（甲第１号証）、刊行物２：特開昭６３−１７４４７１号公報（甲第２号証）には、それぞれ下記の事項が記載されている。
　［刊行物１］
　ａ．「画像情報を記憶するする記憶手段と、この記憶手段から検索して読出した画像情報を被画像形成媒体に形成して出力する出力手段と、上記記憶手段から検索して読出した画像情報のサイズを検知する検知手段と、上記出力手段で画像情報を出力する際、被画像形成媒体のサイズを指定する指定手段と、前記記憶手段からの画像情報のサイズ変換率を、前記検知手段で検知した画像情報のサイズと、前記指定手段で指定された被画像形成媒体のサイズとの関係から決定する制御手段と、この制御手段で決定されたサイズ変換率により、前記記憶手段からの画像情報のサイズを変換する変換手段とを具備したことを特徴とする画像情報検索装置。」（特許請求の範囲第１項）、
　ｂ．「近年、・・・画像情報検索装置が開発され、実用化されている。しかしながら、上記のような装置にあっては、取扱う画像情報の大きさ（画像サイズ）がまちまちとなっている。・・・また、ハードコピーとして出力する場合、画像情報の大きさの種類が多くなると用紙の差替えや設定など、紙の補給が面倒で煩わしいものとなっていた。すなわち、画像情報の大きさがまちまちとなっている書類をハードコピーとして出力する場合、その取扱いが不便なものとなっていた。」（第２頁左上欄２行〜右上欄１９行）、
　ｃ．「この発明は、画像情報の大きさがまちまちとなっている書類をハードコピーとして出力する場合、その取扱いが不便なものとなっていたという欠点を除き、様々な大きさの画像情報が存在する場合でも、ハードコピーの大きさを揃えて出力することができ、取扱いを容易とすることができる画像情報検索装置を提供することを日的とする。」（第２頁左下欄２行〜８行）、
　ｄ．「上記したように、画像情報を出力する際、記憶されている画像情報の大きさに関係なく、大きさの揃ったハードコピーとして出力できるようにしている。すなわち、画像情報の大きさが異なる場合、画像情報の大きさを出力する用紙の大きさに統一させて変換するようにしている。これにより、画像情報の大きさがまちまちとなっている書類などを出力する場合、１種類の大きさに揃えられたハードコピーとして取扱うことが可能となり、ハードコピーの取扱いを容易にすることができる。」（第６頁左下欄６行〜１５行）、
　ｅ．「また、ＣＰＵ１２は、光ディスク１９から検索して読出した画像情報を記憶装置２５によって出力する際、上記画像情報に対応する検索データを上記磁気ディスク２８の記憶アドレス記憶エリア２８ｃから読出すことによって画像情報の大きさを検知するとともに、この画像情報の大きさと前記指定手段としての用紙サイズ検知スイッチによって検知された用紙の大きさとの関係に応じて、上記磁気ディスク２８の変換テーブル記憶エリア２８ａを参照することにより、光デイスク１９からの画像情報のサイズ変換率を決定するようになっている。」（第５頁左上欄６行〜１７行）、
　ｆ．「３１は変換手段としての拡大・縮小・回転回路で、画像情報の拡大、縮小、回転などを行うものであり、前記記録装置２５によって画像情報を出力する際、記録装置２５に設定されている用紙の大きさに対応させるべく、画像情報の大きさと用紙の大きさとに対応した変換率に応じて、上記画像情報の大きさの変換（サイズ変換）を行うものである。」（第３頁右下欄１８行〜第４頁左上欄５行）、
　ｇ．「一方、上記判断の結果、画像情報の大きさＳが用紙の大きさと一致しない場合、ＣＰＵ１２は変換テーブル記憶エリア２８ａを参照し、画像情報（入力）の大きさＳと用紙（出力）の大きさとに対応する変換率を読出す。そして、前記拡大・縮小・回転回路３１により、上記変換率に応じて画像情報の大きさの変換を行い、サイズ変換された画像情報をページバッファ１４へ順次供給する。こうして、ページバッファ１４にサイズ変換された１頁分の画像情報が全て記憶されると、ＣＰＵ１２はその画像情報を・・・ＣＲＴディスプレイ装置２４上に表示せしめるとともに、記録装置２５によりその画像情報をハードコピー２６として発行せしめる。これにより、記録装置２５からは、Ａ４版のハードコピー２６が出力される。」（第５頁左下欄２０行〜右下欄１５行）。
　
　［刊行物２］
　ｈ．「第１図は本発明の一実施例を示す文章作成装置の機能ブロック図である。図において、・・・４は上下、左右方向の余白を計算する余白検出部を示している。また、５は上記余白検出部４で計算された余白領域分だけデータを削除し、印刷に実際に必要なデータだけを取上げる余白削除部、６はこのときの印刷データ領域を計算する画像サイズ計算部、７は送信原稿サイズに収まらない場合、縮小率を計算する縮小率計算部、８は上記縮小率計算部７の計算結果によって決定される縮小率まで縮小を行う縮小部、９はプリンタ１０を制御して印刷を行う印刷部を示している。」（第２頁左下欄４行〜２０行）、
　ｉ．「第３図は余白検出部４の動作を説明するための図であり、第３図（ａ）は受信データから余白を検出するに必要なデータとしての、上余白ライン数（Ａ）、下余白ライン数（Ｃ）、左余白ドット数（Ｂ）および右余白ドット数（Ｄ）の意味を示している。・・・本実施例においては、先頭から順に白データを捜し、行方向に対しては全白ライン番号、桁方向に対してはドット単位桁位置（左白桁、右白桁）を抽出して行く。抽出した情報は、第３図（ｂ）に示す如き、ライン単位の余白管理テーブルに格納して行く。上記余白管理テーブルを用いての上余白ライン数（Ａ）および下余白ライン数（Ｃ）の検出は、以下の如く行う。すなわち、ライン毎に全白ラインか否かを判定し、全白ラインであれば全白フラグを“１”にする。最上位ラインから何ライン全白ラインが続くかにより、上記上余白ライン数（Ａ）が求められる。同様に、最下位ラインから何ライン全白ラインが続くかにより上記下余白ライン数（Ｃ）が求められる。また、上記左余白ドット数（Ｂ）および右余白ドット数（Ｄ）の検出は、以下の如く行う。まず、画像開始桁は、黒ドットが現われるまでの桁をカウントしセットする。画像終了桁は白ドットが現われるとカウントを開始し、黒ドットが現われたときにリセットする。最終桁時には、上記右余白ドット数（Ｄ）の値が残っていることになる。左右余白の検出は全ラインの画像開始桁、画像開始終了桁から、適切な余白量を計算する。」（第２頁右下欄１行〜第３頁左上欄１１行）、
　ｊ．「第２図は本実施例の動作の要点を示すフローチャートである。・・・前記画像サイズ計算部６で、上述の如く、上余白ライン数（Ａ）、下余白ライン数（Ｃ）、左余白ドット数（Ｂ）および右余白ドット数（Ｄ）を求めて、これから余白を検出することにより、画像サイズを計算する（ステップ１１）。このサイズが送信元から別途送信される送信原稿サイズ内に入る場合には（ステップ１２）、直ちにそのサイズで印刷部９により印刷を行う（ステップ１９）。画像サイズが送信元から送信される送信原稿サイズ内に入らない場合には（ステップ１２）、ステップ１３で、装置の現在の使用用紙サイズに合せて画像を縮小する際の縮小率を求める。・・・縮小率が０．８倍以上であれば、現在の用紙サイズが装置の最大処理サイズか否かを判定し（ステップ１５）、最大処理サイズでない場合には、用紙サイズを一段階大きくして（ステップ１６）ステップ１３に戻る。」（第３頁左上欄１２行〜右上欄１１行）。
　
　エ．対比・判断
　（１）まず、上記記載ａ〜ｇを含む明細書及び図面によると、刊行物１には、下記の発明が記載されている。
　「異なるサイズの画像情報を記録する記録装置２５を具備する画像情報検索装置であって、
　上記画像情報の大きさを検知するＣＰＵ１２と、
　上記画像情報の大きさと用紙サイズ検知スイッチによって検知された出力用紙の大きさとの関係に応じた変換率に応じて、画像情報のサイズ変換を行う変換手段３１とを有し、
　上記変換手段３１の変換結果に基づいて、上記異なるサイズの画像画像を出力する用紙の大きさに統一させて変換した大きさで記録することを特徴とする記録装置２５を具備する画像情報検索装置。」。（以下、「刊行物１発明」という。）
　そこで、本件発明１と刊行物１発明とを対比する。
　
　刊行物１発明の「画像情報」は、出力手段である記録装置２５からみると、「入力される画像情報」であるといえる。そうすると、刊行物１発明の「画像情報」、「記録装置２５を具備する画像情報検索装置」は、それぞれ、本件発明１の「入力画像」、「印画装置」に相当する。
　刊行物１発明の「上記画像情報の大きさを検知するＣＰＵ１２」と、本件発明１の「上記入力画像を形成する水平方向の成分に関する情報を検出する第１の検出手段と、上記入力画像を形成する垂直方向の成分に関する情報を検出する第２の検出手段」とは、「上記入力画像の大きさを検出する検出手段」である点で共通する。
　さらに、刊行物１発明の「上記画像情報の大きさと用紙サイズ検知スイッチによって検知された出力用紙の大きさとの関係に応じた変換率に応じて、画像情報のサイズ変換を行う変換手段３１」と、本件発明１の「上記第１の検出手段及び上記第２の検出手段の検出結果に基づいて、上記水平方向の成分及び上記垂直方向の成分を所定の印画領域を形成する水平サイズ及び垂直サイズに変換する演算手段」とは、「上記入力画像の大きさを検出する検出手段の検出結果に基づいて、上記入力画像の大きさを所定の大きさに変換する変換手段」である点で共通する。
　また、本件発明１では、「上記異なるサイズの入力画像を『ほぼ一定』の印画領域で印画する」としているが、「上記演算手段の変換結果に基づいて、」としているものであるから、『ほぼ一定』とは『所定』と同義と解される。
　してみると、本件発明１と刊行物１発明とは、
　「異なるサイズの入力画像を印画する印画装置であって、
　上記入力画像の大きさを検出する検出手段と、
　上記入力画像の大きさを検出する検出手段の検出結果に基づいて、上記入力画像の大きさを所定の大きさに変換する変換手段とを有し、
　上記変換手段の変換結果に基づいて、上記異なるサイズの入力画像を所定の大きさで印画することを特徴とする印画装置。」である点で一致し、次の点で相違する。
　相違点１：入力画像の大きさを検出する検出手段について、刊行物１発明では単にＣＰＵ１２とし、水平方向の成分、垂直方向の成分について言及していないのに対して、本件発明１では、上記入力画像を形成する水平方向の成分に関する情報を検出する第１の検出手段と、上記入力画像を形成する垂直方向の成分に関する情報を検出する第２の検出手段としている点。
　相違点２：入力画像の大きさを所定の大きさに変換する変換手段について、刊行物１発明では、画像情報の大きさと用紙サイズ検知スイッチによって検知された出力用紙の大きさとの関係に応じた変換率に応じて、画像情報のサイズ変換を行う変換手段３１としているのに対して、本件発明１では、上記第１の検出手段及び上記第２の検出手段の検出結果に基づいて、上記水平方向の成分及び上記垂直方向の成分を所定の印画領域を形成する水平サイズ及び垂直サイズに変換する演算手段としている点。
　
　上記相違点について検討する。
　まず、相違点１について。
　刊行物２には、印刷装置として、本件発明１と同一の技術分野に属するといえる文章作成装置において、上余白ライン数（Ａ）、下余白ライン数（Ｃ）という垂直方向の成分に関する情報（上下方向の余白の情報）および、左余白ドット数（Ｂ）、右余白ドット数（Ｄ）という水平方向の成分に関する情報（左右の余白の情報）から、上下、左右の余白を余白検出部４で検出し、画像サイズ計算部６で余白から画像サイズを求め、縮小率計算部７で縮小率を計算し、縮小部８でその縮小率まで縮小して印刷部９でプリンタ１０によって印刷する点が記載されている。
　そうすると、余白検出部４が画像の水平方向の成分、垂直方向の成分を検出する第１、第２の検出手段に該当するといえ、この点を刊行物１に適用し、相違点１の本件発明１のように構成することは、当業者が容易に想到し得たことである。
　次に、相違点２について。
　先に相違点１の検討に際して記したように、刊行物２には、画像サイズ計算部６で余白から画像サイズを求め、縮小率計算部７で縮小率を計算し、縮小部８でその縮小率まで縮小して印刷部９でプリンタ１０によって印刷する点が記載されている。
　そうすると、上記記載ｊ．からも理解できるように、縮小率計算部７で縮小率を計算するに際しては、用紙サイズに応じて、該用紙上に所定の大きさで印画できるように所定の画像の大きさ（印画領域）になるべく計算しているものといえることから、画像サイズ計算部６、縮小率計算部７が演算手段に該当しているものである。
　したがって、この点を刊行物１に適用し、相違点２の本件発明１のように構成することは、当業者が容易に想到し得たことである。
　
　本件発明１の奏する効果についてみても、刊行物１及び刊行物２記載の発明から当業者が予測し得る範囲のものであり、格別のものとはいえない。
　
　したがって、本件発明１は、刊行物１及び刊行物２に記載された発明に基づいて当業者が容易に発明をすることができたものであり、特許法第２９条第２項の規定により特許を受けることができない。
　
　（２）次に、本件発明５について検討する。
　本件発明５は、本件発明１が印画装置に係る発明であるのに対して、これをカテゴリーを異ならせ印画方法としたものであり、上記（１）と同様の理由により、上記刊行物１及び刊行物２に記載された発明に基づいて容易に発明をすることができたものである。
　
　オ．むすび
　以上のとおりであるから、本件発明１及び本件発明５の特許は拒絶の査定をしなければならない特許出願に対してなされたものと認める。
　したがって、特許法等の一部を改正する法律（平成６年法律第１１６号）附則第１４条の規定に基づく、特許法等の一部を改正する法律の施行に伴う経過措置を定める政令（平成７年政令第２０５号）第４条第１項及び第２項の規定により、結論のとおり決定する。
【異議決定日】
平成１３年１０月９日（２００１．１０．９）
【訂正の要旨】
訂正の要旨（２０００年異議７０７９９号）
　特許権者が求める特許明細書の訂正は、次の訂正からなる。
　訂正事項ａ：特許請求の範囲の請求項１を、
　「異なるサイズの入力画像を印画する印画装置であって、
　上記入力画像を形成する水平方向の成分に関する情報を検出する第１の検出手段と、
　上記入力画像を形成する垂直方向の成分に関する情報を検出する第２の検出手段と、
　上記第１の検出手段及び上記第２の検出手段の検出結果に基づいて、上記水平方向の成分及び上記垂直方向の成分を所定の印画領域を形成する水平サイズ及び垂直サイズに変換する演算手段とを有し、
　
上記演算手段の変換結果に基づいて、
領域
　訂正事項ｂ：特許請求の範囲の請求項５を、
　「異なるサイズの入力画像を印画する印画方法であって、
　ａ）　上記入力画像を形成する水平方向の成分に関する情報を検出するステップと、
　ｂ）　上記入力画像を形成する垂直方向の成分に関する情報を検出するステップと、
　ｃ）　上記ステップａ）の検出結果及び上記ステップｂ）の検出結果に基づいて、上記水平方向の成分及び上記垂直方向の成分をほぼ一定の印画
領域
　ｄ）　上記入力画像を上記ステップｃ）で変換された印画
領域
を含むことを特徴とする印画方法。」と訂正する。
　訂正事項ｃ：明細書の〔発明の概要〕欄及び〔課題を解決するための手段〕欄（特許公報第２頁３欄第２２〜２３行目，第２頁４欄第４８行目，第３頁５欄第６行目及び第３頁５欄第８行目）の「印画サイズ」を「印画領域」と訂正する。
（５４）【発明の名称】
印画装置及び印画方法
（５７）【特許請求の範囲】
　【請求項１】　異なるサイズの入力画像を印画する印画装置であって、
　上記入力画像を形成する水平方向の成分に関する情報を検出する第１の検出手段と、
　上記入力画像を形成する垂直方向の成分に関する情報を検出する第２の検出手段と、
　上記第１の検出手段及び上記第２の検出手段の検出結果に基づいて、上記水平方向の成分及び上記垂直方向の成分を所定の印画領域を形成する水平サイズ及び垂直サイズに変換する演算手段とを有し、
　
上記演算手段の変換結果に基づいて、
領域
　【請求項２】　前記水平方向の成分は、走査線であることを特徴とする請求項１に記載の印画装置。
　【請求項３】　前記入力画像を、フレームモードとフィールドモードとに選択的に切り替える切替手段を有することを特徴とする請求項１に記載の印画装置。
　【請求項４】　前記入力画像に所定の比率で含まれるブランキング期間は印画領域としないことを特徴とする請求項１に記載の印画装置。
　【請求項５】　異なるサイズの入力画像を印画する印画方法であって、
ａ）　上記入力画像を形成する水平方向の成分に関する情報を検出するステップと、
ｂ）　上記入力画像を形成する垂直方向の成分に関する情報を検出するステップと、
ｃ）　上記ステップａ）の検出結果及び上記ステップｂ）の検出結果に基づいて、上記水平方向の成分及び上記垂直方向の成分をほぼ一定の印画
領域
ｄ）　上記入力画像を上記ステップｃ）で変換された印画
領域
を含むことを特徴とする印画方法。
【発明の詳細な説明】
　〔産業上の利用分野〕
　本発明は異なる種類のビデオ入力信号を印画するためのマルチスキャンビデオプリンタに用いて好適な印画装置及び印画方法に関する。
　〔発明の概要〕
　本発明は異なる種類のビデオ入力信号を印画するためのマルチスキャンビデオプリンタに用いて好適な印画装置及び印画方法に関し、異なるサイズの入力画像を印画する印画装置（方法）であって、入力画像を形成する水平方向の成分に関する情報を検出する第１の検出手段（第１ステップ）と、入力画像を形成する垂直方向の成分に関する情報を検出する第２の検出手段（第２ステップ）と、第１の検出手段（ステップ）及び第２の検出手段（ステップ）の検出結果に基づいて、水平方向の成分及び垂直方向の成分を所定の印画領域を形成する水平サイズ及び垂直サイズに変換する演算手段（ステップ）とを有し、異なるサイズの入力画像をほぼ一定の印画
領域
　〔従来の技術〕
　従来から、種類の異なる例えば、ＮＴＳＣビデオ信号やパーソナルコンピュータのビデオ信号を一つの印画装置へ入力し、これらのビデオ入力信号に応じた画像をサーマルヘッド等を用いて、印画紙にプリントできる様にしたマルチスキャンビデオプリンタが知られている。
　上述の如きマルチスキャンビデオプリンタでは特に、医療用の各種生体画像等を印画する場合の入力信号の走査線数や水平周波数はテレビジョン用のビデオ信号の走査線数や水平周波数並にアスペクト比等と比べて大きく異なっていた。
　この様にマルチスキャンビデオプリンタに入力されるビデオ入力信号が異なると印画される画像の大きさも、それぞれ異なったものとしてプリントアウトされる。この様に異なったサイズで印画される状態を第９図で説明する。例えば、第９図Ａに示す様なテレビジョン画像（３２）があった場合に垂直方向Ｖの水平走査線数１が例えば、５２５本あったとし、水平走査線方向Ｈのドット数がａドット、例えば１５００ドット分あるとする。今、第９図Ｂに示す様にサーマルヘッド（２０）のライン方向の有効ドット数がｈドット、例えば１２１６ドットであったとし、第９図Ａで示す横長のテレビジョン画像（３２）を、このままの状態でメモリに格納したとする。今、第９図Ｂに示すように印画紙（２１）の長手方向にテレビジョン画像（３２）の長手方向（ａドット方向）を合せて印画するとし、例えば、垂直方向の水平走査線１ラインとサーマルヘッド（２０）の素子の水平走査線方向のドット数が１：１で対応しているとすれば１＝５２５ライン分は１＝５２５ドットで第９図Ｂの様に通常は印画され、サーマルヘッド（２０）の有効ドット数ｈ＝１２１６ドットに比べて１＝５２５ドットと小さく印画される。又、紙送り方向のａドットは紙送りピッチによって定まり、ａドット、即ち、１５００ドット分の１ドット分のピッチはテレビジョン画像（３２）のアスペクト比に応じて印画されることになる。この様に印画装置に入力されるビデオ入力信号の垂直方向の水平走査線数が異なってくれば、印画サイズの異なったものが印画される。又、第９図Ｃに示す様に第９図Ａに示したテレビジョン画像（３２）と同じに横長に印画紙（２１）にプリントする場合でも、水平方向のドット数ａは印画装置のＡ／Ｄやメモリ等のサンプリング周波数の上限等の制限から一定に保てるとは限らず同じ様に異なる複数のビデオ入力信号に応じて印画サイズが変化する問題があった。
　この様な問題を解決するために従来のマルチスキャンビデオプリンタではプリントしようとする印画の縦及び横方向寸法の大きさを常に一定の大きさでプリントアウトさせる様にしていた。又、印画を拡大させるために２度を行なわせる様にしたものも提案されている。
　〔発明が解決しようとする課題〕
　上記した従来のマルチスキャンビデオプリンタに於いて、印画の縦及び横方向寸法の大きさを常に一定の大きさでプリントアウトさせるものでは異なる複数のビデオ入力信号のテレビジョン画像のアスペクト比に対応した印画とならない問題があり、更に２度打ち印字を行って、印画サイズを拡大させるものではマニアル操作によって、拡大させるか否かの設定を行なう必要があり、マルチスキャンビデオプリンタに入力される種類の異なる複数のビデオ入力信号の性質を充分に理解している人でないと、どの様な印画サイズにするか解らず、拡大釦の操作が出来ない問題があった。
　本発明は叙上の問題点を解決するために成されたもので、その目的とするところは印画装置への入力信号の走査線数や水平走査周波数が異なっていても、印画装置内でビデオ入力信号に応じて自動的に印画サイズが略一定なる様にしたものである。
　〔課題を解決するための手段〕
　本発明の印画装置は異なるサイズの入力画像を印画する印画装置であって、入力画像を形成する水平方向の成分に関する情報を検出する第１の検出手段と、入力画像を形成する垂直方向の成分に関する情報を検出する第２の検出手段と、第１の検出手段及び第２の検出手段の検出結果に基づいて、水平方向の成分及び上記垂直方向の成分を所定の印画領域を形成する水平サイズ及び垂直サイズに変換する演算手段とを有し、異なるサイズの入力画像をほぼ一定の印画
領域
　本発明の印画方法は、異なるサイズの入力画像を印画する印画方法であって、入力画像を形成する水平方向の成分に関する情報を検出する第１のステップと、入力画像を形成する垂直方向の成分に関する情報を検出する第２のステップと、第１のステップの検出結果及び第２のステップの検出結果に基づいて、水平方向の成分及び垂直方向の成分をほぼ一定の印画
領域
領域
　〔作用〕
　本発明の印画装置及び印画方法はオートスキャン用の操作釦を選択するだけで印画装置がマルチスキャン状態となって、印画装置に入力される複数の異なるビデオ入力信号に応じて、ビデオ入力信号の走査線数と水平走査周波数を計測し、この計測値に基づいて自動的に印画サイズが略一定になう様になされるので、入力されるテレビジョン画像のアスペクト比に応じた最適な印画を行なうことが出来る。
　〔実施例〕
　以下、本発明の印画装置の一実施例を第１図乃至第８図について説明する。
　第１図は本発明の印画装置の系統図であるが、第１図の説明に先だち第２図及び第３図によって全体的なパネル構成を説明する。
　第２図は本例のパネル正面図を示すもので、（１）は印画装置（以下マルチスキャンビデオプリンタと記す）の筐体のパネル、（２）は未記録の印画紙を挿入するためのリッドで押圧釦（３）の押圧によってリッド２）が開かれる。（４）は制御パネルで第３図で後述するも、ＬＣＤ（液晶表示器）（５）や各種操作釦を有する。（６）は電源　釦を示し、押圧することで電源をオン，オフさせる。（７）はプリントされた印画紙が排出される排出口である。
　上記した制御パネル（４）の各種操作釦を第３図の拡大図で説明する。ＬＣＤ（５）には動作状態が表示されると共にプリント調整釦群９）とプリセット釦（１０）の押圧で種々のアイテムのメニューが表示される。プリンタ動作釦群（８）の中にはプリント釦（８ａ）、コピー釦（８ｂ）、フィード釦（８ｃ）、カット釦（８ｄ）、スキップ釦（８ｅ）を有する。プリント釦（８ａ）を押圧すると、シングルピクチャーモード（１枚の印画紙に１つの映像を印画するモード）ではメモリ内にビデオ入力信号画像がストアされ、且つプリントされたビデオ入力信号画像が得られる。又、マルチピクチャーモード（１枚の印画紙に複数の映像を印画するモード）ではビデオ入力信号がメモリにストアされる。コピー釦（８ｂ）を押圧するとシングルピクチャーモードでは同一のプリントされた印画紙を得ることが出来る。又、マルチピクチャーモードではメモリにストアされた複数のビデオ入力信号がプリントアウトされる。フィード釦（８ｃ）が押圧するとプリントが停止され、印画紙が排出口（７）から排出されカット釦（８ｄ）を押圧することで印画紙がカットされる。尚、スキップ釦（８ｅ）を押圧するとメモリ位置の１つのポインタを動かすことが出来る。
　プリント調整釦群（９）はＬＣＤ（５）に表示された種々のプリントモードの所定のアイテムの調整又は設定に用いられるもので、このプリント調整釦群（９）の中にはスキャンアジアスト釦（９ａ）、ピクチャーモード釦（９ｂ）、並にフォーマット釦（９ｃ）を有する、これらの各釦機能は後述する。
　プリセット釦（１０）を押圧するとピクチャーモード（ピクチャーモード釦（９ｂ）を押圧したモード）及びスキャンモード（スキャンアジアスト釦（９ａ）を押圧したモード）で選択した値をセーブし、このセーブ値をロードする。
　カーソル釦（１１）はプリント調整釦群（９）とプリセット釦（１０）の操作で示されるアイテムの値を選択するために用いられる。
　（１２）はモード選択釦群であり、このモード選択釦群（１２）の中には入力セレクト釦（１２ａ）、マルチピクチャー釦（１２ｂ）、オートカット釦（１２ｃ）並びにオートスキャン釦（１２ｄ）を有し、入力セレクト釦（１２ａ）を押圧することでコンポジットビデオ或はＲ（赤），Ｇ（緑），Ｂ（青）ビデオ等の入力信号を選択する。マルチピクチャー釦（１２ｂ）を抑圧するとマルチピクチャーモードがターン“オン”或は“オフ”される。オートカット釦（１２ｃ）を押圧すると、オートカットモードがターン“オン”或は“オフ”される。オートスキャン釦（１２ｄ）を押圧するとオートスキャンモードがターン“オン”或は“オフ”される。
　（１３）はモードインジケータ群を示し、各種のＬＥＤが点滅する。入力セレクト釦（１２ａ）を押圧しコンポジットビデオ信号を選択すればインプットビデオ用ＬＥＤ（１３ａ）が点灯し、Ｒ，Ｇ，Ｂビデオ信号を選択するとインプットＲ，Ｇ，Ｂ用ＬＥＤ（１３ｂ）が点灯する。同様にマルチピクチャー釦（１２ｂ）を押圧すればマルチピクチャー用ＬＥＤ（１３ｃ）が点灯し、プリンタ内でエラーが検出されるとアラーム用ＬＥＤ（１３ｄ）が点灯し、オートカット釦（１２ｃ）を選択すればオートカット用ＬＥＤ（１３ｅ）が点灯し、オートスキャン釦（１２ｄ）を選択すればオートスキャン用ＬＥＤが点灯する様に構成されている。
　上述の構成で印画、即ちプリントアウトを行なうためには基本的には先ず電源釦（６）を押圧して電源を入れ、次に入力セレクト釦（１２ａ）を押圧し、コンポジットビデオ或はＲ，Ｇ，Ｂビデオ信号を選択する。次にモードインジケータ（１３）中のオートスキャンＬＥＤ（１３ｆ）の点灯を確認し、消えていたらオートスキャン釦（１２ｄ）を押圧し、次にマルチピクチャー釦（１２ｂ）を押圧し、シングルピクチャーモードで印画するかマルチピクチャーモードで印画するかを選択する。シングルピクチャーモードを選択した場合にはプリント釦（８ａ）を押圧することで適正な画像がプリントアウトされ、マルチピクチャーモードを選択した場合にはプリント釦（８ａ）を押圧することでメモリにデータが格納され、更にコピー釦（８ｂ）を押圧することで適正な例えば１枚の記録紙に４画像分がプリントされたマルチピクチャーがプリントアウトされる様に成されている。
　次に上述の如き、マルチスキャンビデオプリンタ内の系統図を第１図で説明する。
　第１図で、入力端子（１４）には例えば、ＮＴＳＣのコンポジットビデオ信号、或はＲ，Ｇ，Ｂビデオ信号等の水平走査周波数や走査線数の異なる信号が入力される。これらの選択されたビデオ信号は入力端子（１４）を介してビデオ信号処理回路（１５）に供給され、このビデオ信号処理回路（１５）では入力端子（１４）に供給された例えば、コンポジットビデオ信号の各種ビデオ処理を行なうと共に映像信号（１５ｂ）と同期信号（１５ａ）に分離し、同期信号（１５ａ）をクロック発生回路（１７）と第１のコンピュータ（以下ＣＰＵ１と記す）（１８）に供給する。ビデオ信号処理回路（１５）で分離した映像信号（１５ｂ）はアナログ−デジタル変換回路（以下Ａ／Ｄと記す）（１６）に供給されてデジタル信号に変換されてメモリ（２２）に格納される。クロック発生回路（１７）はＰＬＬ構成とされ、第１のＣＰＵ１（１８）ではビデオ信号処理回路（１５）からの同期信号（１５ａ）に基づいて、ビデオ入力信号の走査線数、水平走査周波数等を計測し、この計測結果に基づいて、クロック発生回路（１７）にサンプリング周波数を設定し、水平同期信号（Ｈシンク）に同期したサンプリングクロックをクロック発生回路（１７）から出力させる。このサンプリングクロックのタイミングでＡ／Ｄ（１６）は標本化を行い、映像信号（１５ｂ）がメモリ（２２）に書き込まれる。この様にメモリ（２２）に書き込まれたビデオ入力信号はメモリ制御回路（２３）を介して第１のＣＰＵ１（１８）がメモリ内の映像信号（１５ｂ）のデータを読み取り、印字制御回路（１９）に供給する。印字制御回路（１９）はサーマルヘッド（２０）で印画紙（２１）にプリントする印字データを展開して、サーマルヘッド（２０）にこの印字データを転送する。第２のコンピュータ（以下ＣＰＵ２と記す）（２４）は第１のＣＰＵ１（１８）とデータバスで結ばれ、第２のＣＰＵ２（２４）がホストコンピュータの様な動作を行なう。即ち、第２のＣＰＵ２（２４）はメモリ制御回路（２３）、印字制御回路（１９）、モータ制御回路（２５）等をコントロールし、上述のＬＣＤ（５）に各種アイテムの表示を行なうと共に制御パネル（４）からの各種操作に応じた信号を発生する。特にＣＰＵ２（２４）は決められたアスペクト比になる様に印画紙送り用モータ（２６）の速度をコントロールする様に成される。
　上述の如く構成されたマルチスキャンビデオプリンタの本例の動作を第４図乃至第８図について説明する。本例では入力端子（１４）に供給される走査線数や水平走査周波数の異なるビデオ入力信号に対して自動的に印画サイズを略一定に保ってプリントが行なえる様に成されたもので先ず、第４図のフローチャートに示す様に第１のステップＳＴ１では第１図に示す電源釦（６）の押圧によってパワー電源が“オン”される。次の第２ステップＳＴ２ではＣＰＵ２（２４）は最終設定された設定値を設定値とし、第３ステップＳＴ３でノーインプットか否かを判断する。ノーインプットであれば第４ステップＳＴ４に示す様にＬＣＤ（５）にノーインプットを表示し、後述するＣに移行する。第３ステップＳＴ３でビデオ信号が入力されていれば第５ステップＳＴ５でアスペクト比を手動で選択する。このアスペクト比はピクチャーモード釦（９ｂ）の押圧によってＬＣＤ（５）上にアスペクト比が１：１，４：３，１６：９と表示されるので、これらのアスペクト比のうち選択するべきものをカーソル釦（１１）を用いて指示することでアスペクト比の選択が成される。この様なアスペクト比選択が行なわれた後に第２のＣＰＵ２（２４）はオートスキャン値を計算する第６ステップＳＴ６に入る。この第６ステップは第５図のフローチャートに基づいてオートスキャン値の計算が行なわれる。即ち、第５図の第１のステップＳＴＰ６−１では第１のＣＰＵ１（１８）が計測しているビデオ入力信号の水平走査周波数（以下ｆＨと記す）を第２のＣＰＵ２（２４）が受け、このｆＨに例えば、１４８２の値を掛けた値を計算してサンプリングクロック周波数ｆｓを算出する。この１４８２の値は印画しようとする、例えば、第６図に示す印画領域（２７）の少なくとも水平同期信号を除いたｂ部分以外のｃ部分で示す水平サイズ（２８）を定めるサーマルヘッド（２０）の水平方向の素子数から求められる。通常のサーマルヘッド（２０）の水平方向の素子数は１２８０ドット程度であるが、有効ドット数を１２１６ドットと取り、この値の横有効比率を０．８２にとれば１２１６／１４８２≒０．８２と成り、１４８２の値が求められる。この様にサンプリングクロック周波数ｆｓが求められると第５図の第２ステップＳＴＰ６−２に於いて第２のＣＰＵ２（２４）は、このサンプリング周波数ｆｓが４０ＭＨｚより大きいか否かを判断する。この４０ＭＨｚの値は第１図で説明したＡ／Ｄ（１６）やメモリ（２２）の駆動周波数の限界値で定まるものである。この第２ステップＳＴＰ６−２でサンプリング周波数ｆｓが４０ＭＨｚより大きくなれば次の第４ステップのＳＴＰ６−４で水平サイズ（２８）を１２１６と定める。又、第２ステップＳＴＰ６−２でサンプリング周波数ｆｓが４０ＭＨｚより大きいと第２のＣＰＵ２（２４）が判断したら、第３ステップＳＴＰ６−３でサンプリング周波数ｆｓ＝４０ＭＨｚに設定し、このサンプリング周波数ｆｓに基づいて、次の第５ステップＳＴＰ６−５で水平サイズ（２８）を求める。この第５ステップＳＴＰ６−５では水平サイズ＝４０ＭＨｚ／ｆＨ×０．８２の計算を行なう。即ち、１水平ライン内のドット数の８２％の値を算出する。この様にして水平サイズ（２８）���ビデオ入力信号に対応して算出される。次の第６ステップＳＴＰ６−６では垂直サイズの算出を行なうことになる。この垂直方向の垂直サイズ（２９）は第６図に示す様に第１のＣＰＵ１（１８）で計測した現在の１Ｖの走査線のライン数ｄのうち、少なくともブランキングとしてのｅラインは除き、ｆライン期間に印画するために走査線のライン数に縦有効比率の最も適切と考えられる、例えば、０．９２が掛けられて垂直サイズが求められる。
　この様に第４図に示す第６ステップＳＴ６のオートスキャン値の計算が終了すると、第２のＣＰＵ２（２４）は第７ステップＳＴ７でオートスキャンモードか否かの判断を行なう。オートスキャンモードでなければ第８ステップＳＴ８に進むこの第８ステップＳＴ８ではオートスキャン釦（１２ｄ）が“オフ”状態と成されているが、この場合、ビデオ入力信号のサンプリング周波数等が極めて高い様なときにはマルチスキャンビデオプリンタが有する駆動周波数の制限値を越えた値となることがあり、又、ライン数が設定値より少ない時等はオートスキャン釦（１２ｄ）を“オフ”にしても印画される画像は不確定なもので意味を持たない。よって、第８ステップＳＴ８では現在の設定値とビデオ入力信号による設定値のリミットの比較が成され、“ＮＧ”状態であれば第９ステップＳＴ９に進んでＬＣＤ（５）にオートスキャン釦（１２ｄ）を抑圧する様にとの指示が行なわれる。第９のステップＳＴ９の終了後並に第８ステップＳＴ８でＯＫ状態の場合は共にＣに進む。更に第７ステップＳＴ７でオートスキャンモード状態にプリンタが成されていれば第１０ステップＳＴ１０に進む。この第１０ステップＳＴ１０では第６ステップＳＴ６で計算したオートスキャン値に変更する。即ち、メモリ（２２）への取り込み用の設定値に書き換えが行なわれる。この第１０ステップＳＴ１０終了後はＣに進む。Ｃは第４図のフローチャートの左上に示されているがＣから第１１ステップＳＴ１１に進む。第１１ステップＳＴ１１ではビデオ入力信号が変化したか否かを判断する。ビデオ入力信号が変化したときには第３ステップＳＴ３に戻され、再びオートスキャン値の計算が行なわれることになる。変化がなければ、第１２ステップＳＴ１２ではプリント釦（８ａ）が押圧されているか否かを第２のＣＰＵ２（２４）が判断する。このプリント操作では印画設定値のメモリイン及びプリント動作が行なわれる。プリント釦（８ａ）が押圧されていれば後述するもＡに至る。プリント釦（８ａ）が押圧されていなければ第１３ステップＳＴ１３に進んでコピー釦（８ｂ）が押圧されたか否かの判断を第２のＣＰＵ２（２４）が同様に行ない、“ＹＥＳ”であれば後述するＢに至る。第１３ステップＳＴ１３で“ＮＯ”であれば第１４ステップＳＴ１４に進むことになる。
　プリントか否かの判断を第１２ステップＳＴ１２で行なって“ＹＥＳ”であれば第１図の右側上部に示すフローチャートのＡから第２０ステップＳＴ２０に進み、第２のＣＰＵ２（２４）はエラーか否かを判断する。このエラーが有るのは第４ステップＳＴ４の様にＬＣＤ（５）にノーインプットが表示された時、並に第９ステップＳＴ９の様にＬＣＤ（５）にオートスキャン釦を押圧する指示がなされたときであり、エラーが有ればＣへ戻るが、エラーがなければ、第２１ステップＳＴ２１で印画設定値を変更し、次の第２２ステップＳＴ２２で印画データをメモリへ取り込み、次の第２３ステップＳＴ２３で送りピッチの計算が行なわれる。この送りピッチは次の如く計算される。
　この様に送りピッチが求められて第２４ステップＳＴ２４に示す様に印画が行なわれる。又、コピー釦（８ｂ）が押圧されていればＢを経て第２３ステップＳＴ２３で印画設定値メモリに格納されていた前の画像データに基づいて送りピッチが計算され、印画される。
　この様な送りピッチ計算に於いて、有効ドット数、即ち、水平サイズが第５図のフローチャートの第４ステップＳＴＰ６−４に示されている様に１２１６ドットの場合にはサーマルヘッド（２０）の各素子の１つ１つにメモリの１つのデータを対応させて印画を行えば１２１６ドット幅の印画が得られる。然し、第５図の第３及び第５ステップＳＴＰ６−３及びＳＴＰ６−５に入ったビデオ入力信号についてはメモリ（２２）内に格納された１つのデータをサーマルヘッド（２０）の１つの素子に対応させて印画すると、第９図で説明した様に縮小（又は拡大）された印画となる。そこで第８図に示すフローチャートにしたがって、どの様なビデオ入力信号が印画装置に入力されても常にサーマルヘッド（２０）の例えば、有効ドット数の１２１６ドット以内の一定のドット数幅に納まる様な処理が第２のＣＰＵ２（２４）で行なわれる。即ち、第８図は第４図に示す第２３ステップＳＴ２３内の水平方向の送りピッチ計算処理の１例を示すもので、第８図の第１のステップＳＴＥＰ２３−１では水平サイズがサーマルヘッド（２０）の有効ドット数幅、即ち、水平サイズ＝１２８０より小さいかの判断を行い、“ＹＥＳ”であれば第２ステップＳＴＥＰ２３−２に進む、この第２ステップＳＴＥＰ２３−２ではサーマルヘッド（２０）の全幅のドット数１２８０の半分の６４０に１を加えた６４１より小さいかを判断し、第１及び第２のステップＳＴＥＰ２３−１及びＳＥＴＥ２３−２で共に“ＮＯ”であれば、第３ステップＳＴＥＴ２３−３に進む、このステップではメモリ（２２）内に格納されたビデオ入力信号の映像信号のデータを読み出し、メモリ制御回路（２３）を介して第１のＣＰＵ１（１８）に供給する。この第１のＣＰＵ１（１８）では映像信号の水平走査周波数と走査線数の計測に基づいたデータを第２のＣＰＵ２（２４）にデータバスを介して供給しているので、サーマルヘッド（２０）の１ライン分に対応して出力される映像信号の１ライン分の画素数が検出され、この画素数が印画素子の数と第１及び第２のステップＳＴＥＰ２３−１及びＳＴＥＰ２３−２の様に比較され、この比較出力データは第１のＣＰＵ１（１８）に第２のＣＰＵ２（２４）からデータバスを介して供給される。ここで第１のＣＰＵ１（１８）は印字制御回路（１９）にメモリ（２２）から読み出した全ドットのデータをサーマルヘッド（２０）の１２１６ドットの各素子の１つ１つに対応させるモードとする。即ち、サーマルヘッドのライン方向の各素子１個にメモリ内の１個のデータを対応する様に印字制御回路（１９）に指示する。印字制御回路（１９）は第２のＣＰＵ２（２４）の制御を基にサーマルヘッド（２０）を１データに対し１素子を１度打つ様に制御させる。第２ステップＳＴＥＰ２３−２で水平サイズが６４１より小さければ第４のステップＳＴＥＰ２３−４に進む、第４のステップＳＴＥＰ２３−４では第２ステップＳＴＥＰ２３−２の水平サイズ６４０の半分の３２０に１を加えた３２１より水平サイズが小さいかを同じく第２のＣＰＵ２（２４）が判断し、“ＮＯ”であれば第５ステップＳＴＥＰ２３−５に進む、第５ステップＳＴＥＰ２３−５でメモリ（２２）に格納した映像信号データの１ドットをサーマルヘッド（２０）の第１のラインの隣接する２素子に与える判断を第２のＣＰＵ２（２４）が行ない第１のＣＰＵ１（１８）にこの判断した制御データを供給する。第１のＣＰＵ１（１８）は印字制御回路（１９）にこの制御データを供給する。上述と同様の２度打ちの指令は第６ステップＳＴＥＰ２３−６に示される様に次の垂直方向のラインについても行なわれる様な指示が成される。第４ステップＳＴＥＰ２３−４で水平サイズが３２１より小であれば第７ステップｓＴＥＰ２３−７に進み、この第７ステップＳＴＥＰ２３−７ではメモリ（２２）に格納した映像信号データの１ドットをサーマルヘッド（２０）の第１のラインの隣接した４素子に与える判断が同じく、第２のＣＰＵ２（２４）で行なわれる。第１のＣＰＵ１（１８）にこの判断した制御データを供給する。第１のＣＰＵ１（１８）は印字制御回路（１９）にこの制御データを供給する。上述と同様の４度打ちの指令は第８ステップＳＴＥＰ２３−８に示す様に３ライン後迄行なう様な指令か成される。第３、第６並に第８ステップＳＴＥＰ２３−３、ＳＴＥＰ２３−６並にＳＴＥＰ２３−８終了後は第４図に示す印字のステップＳＴ２４に至る。
　この様にサーマルヘッド（２０）のライン方向の拡大が入力されるビデオ入力信号に応じて成された後に垂直方向の垂直サイズはビデオ入力信号のアスペクト比に応じて、第２のＣＰＵ２（２４）がモータ制御回路（２５）を介して印画紙（２１）の送りをコントロールすることで定まる。上述の手法によればどの様なビデオ入力信号に対して略一定の印画サイズのものか得られる。上述の実施例ではサーマルヘッド（２０）の素子数より入力画像データのライン方向が小さな素子数の場合を説明したが、サーマルヘッド（２０）の素子数より入力画像データのライン方向が大きな素子数を有する場合はサーマルヘッド（２０）の素子数以内に一定幅に縮小することも出来る。この場合はデータは間引かれることになる。
　更に、上述の場合を一般化すれば印画しようとするライン方向の水平サイズをｃとし、サーマルヘッド（２０）のライン方向のドット数をｈとした時（第９図参照）にｃ＝ｈ／ｎ（但し、ｎは２以上の整数）となる様にｎドット同一データを用いて印画する様にしたものであるが、一般的にｃ個のデータを基にｈのデータになる様にデジタル演算処理を行なう様にすれば、どの様なビデオ入力信号に対しても一定の印画サイズが得られる。
　再び、第１図の左側に示されている第１４ステップＳＴ１４の説明を行なう。第１４ステップではオートスキャンモードが“オフ”から“オン”になったか否かを判断している。“オフ”から“オン”になっていれば第１０ステップＳＴ１０で設定をオートスキャン値に変更し、“ＮＯ”であれば第１５ステップＳＴ１５でオートスキャンモードが“オン”か否かを判断し、“ＹＥＳ”であれば第１１ステップＳＴ１１に戻され、“ＮＯ”であれば、第１６ステップＳＴ１６に進んで設定かエデット状態か否かを判断する。即ち、この場合はマニアル動作によって印画すべきデータ値の設定が可能となる。第１６ステップＳＴ１６で“ＮＯ”であれば第１１ステップＳＴ１１に戻されるが、“ＹＥＳ”であれば第１７ステップでマニアル操作による変更設定が行なわれる。この状態を第６図及び第７図を用いて説明する。この設定エデットでマニアル操作を行なうための操作釦としてはフォーマット釦（９ｃ）、ピクチャーモード釦（９ｂ）並にスキャンアジアスト釦（９ａ）がある。これらの各走査釦のうち、フォーマット釦（９ｃ）はポストフィード、ページサイズ、キャプシヨン、ボードレート、パリティ等を定めるものであり、ピクチャーモード釦（９ｂ）はコントラスト、プライトネス、前記したアスペクト比、高，中，低フィルタ、ネガ，ポジ状態等を定めるものであるが、これらは本例と直接関係がないので、詳細な説明を省略する。
　スキャンアジアスト釦（９ａ）を押圧すると第７図に示す様にＬＣＤ（５）に各種アイテムが表示される。表示（５ａ）はビデオ入力信号がフレームかフィールドかをカーソル釦（１１）で選択することでプリントアウト用のメモリにフレーム又はフィールド信号が入力される。表示（５ｂ）はドット単位での水平シフト量を表し、第６図の水平シフト量（３０）を調整するもので、０ドットはオートスキャンモードにセットした位置から水平方向にシフトしていない位置を表す。即ち、オートスキャンモードを基準に０ドットとし、例えば、左方向に２０ドットシフトさせたい時にはカーソル釦（１１）中の
　　　　　　　　　　　　　　　　　＜
釦を押圧し、表示が「２０ドット左」の表示が出る迄、押圧すれば、第６図の破線は印画領域（２７）に対して左へ２０ドット水平シフトすることになる。次の表示（５ｃ）はドットを単位とした水平サイズ（２８）を手動設定させる時に用いるもので、水平方向の長さ即ち水平サイズは先に計算した様にＣ＝１２１６ドットであり、例えば、全水平方向の長さはａ（１Ｈ）＝１４８２ドットである。表示（５ｄ）はライン単位での垂直シフト量（３１）を調整するもので、０ラインはオートスキャンモードにセットした位置から垂直方向にシフトしていない位置を表す。即ち、オートスキャンモードを基準に０ラインとし、例えば、上方向に１０ラインシフトさせたい時にはカーソル釦（１１）中の
　　　　　　　　　　　　　　　　　＜
釦を押圧し、表示が「１０ライン下」の表示がされる迄、押圧すればよい。この様にすれば第６図で垂直シフトで示す範囲で印画領域（２７）に対して下側に１０ライン分垂直シフトすることになる。表示（５ｅ）はラインを単位とした垂直サイズ（２９）を手動設定させたときに用いるもので、測定された垂直方向２ｄ＝２Ｖのライン数はＮＴＳＣ方式では５２５本であるが少なくともブランキング部２ｅを除いた例えば２ｆ＝４７８本としている。表示（５ｆ）はアスペクトの調整に用い、アスペクトを変更するときは、カーソル釦（１１）中の
　　　　　　　　　　　　　　　　　＞
釦を押圧すれば、水平方向の画像の拡大が成され、
　　　　　　　　　　　　　　　　　＜
釦を押圧すれば、水平方向の画像の縮小が同じく手動で成される。この様な各種アイテムの手動操作によるスキャンアジアストが終了すると、第２のＣＰＵ２（２４）は第１８ステップＳＴ１８に進んで、現在の設定値とビデオ入力信号による設定値のリミット比較を第８ステップＳＴ８と同様に行なう。これはオートスキャン釦（１２ｃ）の押圧を指示する第９ステップＳＴ９を通したものが第１１ステップＳＴ１１〜第１７ステップＳＴ１７を通るためで、比較出力が“ＮＧ”であれば第１１ステップＳＴ１１に戻すが、“ＯＫ”であれば第１９ステップＳＴ１９によってプレス・オート・スキャンメッセージ、即ちＬＣＤ（５）に表示されているオートスキャン釦を押圧する指示を消して第１１ステップＳＴ１１に戻す様に成されている。
　本例は上述した様に構成させたので、オートスキャンモードにすれば、異なる複数のビデオ入力信号の水平走査周波数や走査線数が個々に違っていても、画像サイズが略一定になる様に自動的にｎドット同一データ用いて印画するので、従来の様にビデオ入力信号の信号仕様を正しく理解していなくても容易に調整を行なうことが出来る等の効果を有する。
　尚、本発明は叙上の実施例に限定されることなく本発明の要旨を逸脱しない範囲で種々変更し得ることは明からである。
　〔発明の効果〕
　従来の印画装置によればビデオ入力信号が変るたびにビデオ入力信号の仕様を正しく理解して手動で印加サイズを入力しなければならなかったが、本発明によればビデオ入力信号を常に計測し、ビデオ入力信号の情報から最適な一定の印画を行なうので自動的に最適な一定の大きさで、最適の範囲が定められた印画を行なうことが出来ると共にオートスキャンモードで多少ずれた画像でも手動で簡単に拡大、縮小調整出来る効果が得られる。
【図面の簡単な説明】
　第１図は本発明の印画装置の一実施例を示す系統図、第２図は本発明の印画装置の一実施例を示すパネル正面図、第３図は第２図の釦操作部拡大正面図、第４図は本発明の印画装置のフローチャートを示す線図、第５図は第４図に示すオートスキャン値の計算方法を示すフローチャート線図、第６図はプリント領域を設定するための説明図、第７図はスキャン・アジアスト釦の操作機能説明図、第８図は送りピッチ計算のフローチャートを示す線図、第９図は従来の印画方法説明図である。
　（１）はパネル、（２）はリッド、（４）は制御パネル、（５）はＬＣＤ、（８）はプリンタ動作釦群、（９）はプリント調整釦群、（１０）はプリセット釦、（１１）はカーソル釦群、（１２）はモードセレクト釦群、（１３）はモードインジケータ、（１８）は第１のＣＰＵ１、（２２）はメモリ、（２４）は第２のＣＰＵ２である。